(57)【要約】【課題】テレビジョン放送が受信可能とされた携帯端末で予約録画を行う場合に、予約録画を確実に実行できるようにする。【解決手段】予約録画時に、携帯電話端末２の受信電界強度検出部３６により受信電界強度を検出してワンセグ放送の受信状態を確認し、受信状態が良好な場合、携帯電話端末２自身で録画を実行し、その番組を携帯電話端末２の記録媒体２４に記録し、受信状態が不良な場合には、携帯電話端末２の遠隔操作機能により、家庭内のテレビジョン受信機で録画を実行させ、家庭内のテレビジョン受信機の記録媒体に、携帯電話端末２で予約録画した番組と同様の放送番組を記録させる。これにより、携帯電話端末２で設定した予約録画が携帯電話端末２で実行できにない場合でも、これと同一の放送番組を家庭内のテレビジョン受信機で録画することができ、予約録画を確実に実行できる。【選択図】図３
2010098670.tif 000002
【特許請求の範囲】
【請求項１】
テレビジョン放送が受信可能とされた携帯端末で予約録画を行うテレビジョン録画方法であって、
前記携帯端末により遠隔操作可能なテレビジョン受信機を設け、
前記携帯端末に録画予約を設定しておくと、前記携帯端末は、予約録画時に、前記携帯端末で予約録画可能な状態であるかどうかを判断し、
前記予約録画可能な状態であれば、前記携帯端末で予約した番組を前記携帯端末側の記録媒体に記録し、
予約録画不可の状態であれば、前記テレビジョン受信機を遠隔操作して、前記携帯端末で予約した番組と同一の番組を前記テレビジョン受信機側の記録媒体に記録させる
ことを特徴とするテレビジョン録画方法。
【請求項２】
前記予約録画可能な状態であるかどうかの判断は、受信電界強度を検出して行うことを特徴とする請求項１に記載のテレビジョン録画方法。
【請求項３】
前記予約録画可能な状態であるかどうかの判断は、前記携帯端末の揺れを検出して行うことを特徴とする請求項１に記載のテレビジョン録画方法。
【請求項４】
前記予約録画可能な状態であるかどうかの判断は、前記携帯端末の電池残量を検出して行うことを特徴とする請求項１に記載のテレビジョン録画方法。
【請求項５】
テレビジョン放送が受信可能とされた携帯端末で予約録画を行うために、前記携帯端末のコンピュータで実行されるテレビジョン録画プログラムであって、
予約録画時に、前記携帯端末で予約録画可能な状態であるかどうかを判断するステップと、
前記予約録画可能な状態であれば、前記携帯端末で予約した番組を前記携帯端末側の記録媒体に記録するステップと、
予約録画不可の状態であれば、前記テレビジョン受信機を遠隔操作して、前記携帯端末で予約した番組と同一の番組を前記テレビジョン受信機側の記録媒体に記録させるステップと
を含むことを特徴とするテレビジョン録画プログラム。
【請求項６】
テレビジョン放送を受信する第１の受信手段と、所望の放送番組の録画予約を行う予約録画設定手段と、録画したテレビジョン放送の番組を記録する第１の記録媒体と、予約録画時に予約録画可能な状態であるかどうかを判断するための録画状態の検出手段と、外部の機器を遠隔操作する遠隔操作手段とを含む携帯端末と、
テレビジョン放送を受信する第２の受信手段と、録画時に受信したテレビジョン放送の番組を記録する第２の記録媒体と、外部からの操作により遠隔操作を受ける被遠隔操作手段とを含むテレビジョン受信機とからなり、
前記携帯端末の予約録画設定手段は、予約録画時に、前記録画状態の検出手段により予約録画可能な状態であるかどうかを判断し、前記予約録画可能な状態であれば、前記携帯端末で予約した番組を前記携帯端末側の第１の記録媒体に記録し、予約録画不可の状態であれば、前記テレビジョン受信機を遠隔操作して、前記携帯端末で予約した番組と同一の番組を前記テレビジョン受信機側の第２の記録媒体に記録させる
ことを特徴とするテレビジョン録画システム。
【請求項７】
前記録画状態の検出手段は、受信電波の電界強度を検出する受信電界強度検出手段からなり、
前記予約録画設定手段は、前記受信電界強度検出手段の検出出力により、予約録画可能な状態であるかどうかを判断することを特徴とする請求項６に記載のテレビジョン録画システム。
【請求項８】
前記録画状態の検出手段は、前記携帯端末の揺れを検出する加速度検出手段からなり、
前記予約録画設定手段は、前記加速度検出手段の検出出力により、予約録画可能な状態であるかどうかを判断することを特徴とする請求項６に記載のテレビジョン録画システム。
【請求項９】
前記録画状態の検出手段は、前記携帯端末に搭載された電池の残量を検出する残量検出手段からなり、
前記予約録画設定手段は、前記電池残量検出手段の検出出力により、予約録画可能な状態であるかどうかを判断することを特徴とする請求項６に記載のテレビジョン録画システム。
【請求項１０】
テレビジョン放送が受信可能とされた携帯端末であって、
テレビジョン放送を受信する受信手段と、
所望の放送番組の録画予約を行う予約録画設定手段と、
録画したテレビジョン放送の番組を記録する記録媒体と、
予約録画時に予約録画可能な状態であるかどうかを判断するための録画状態の検出手段と、
外部のテレビジョン受信機を遠隔操作する遠隔操作手段とを含み、
前記予約録画設定手段は、録画予約時に、前記録画状態の検出手段により予約録画可能な状態であるかどうかを判断し、前記予約録画可能な状態であれば、前記予約した番組を前記記録媒体に記録し、予約録画不可の状態であれば、前記遠隔操作手段により、前記携帯端末で予約した番組と同一の番組を前記外部のテレビジョン受信機の記録媒体に記録させる
ことを特徴とする携帯端末装置。
【発明の詳細な説明】
【技術分野】
【０００１】
本発明は、テレビジョン放送が受信可能とされた携帯端末で予約録画を行うテレビジョン録画方法、テレビジョン録画プログラム、テレビジョン録画システム、携帯端末装置に関する。
【背景技術】
【０００２】
近年、地上ディジタルテレビジョン放送のエリア拡大に伴い、携帯電話・移動体端末向けの１セグメント部分受信サービスのテレビジョン放送（以下、ワンセグ放送と称する）が受信可能な携帯電話端末が増えている。すなわち、地上波ディジタルテレビジョン放送は、ＵＨＦ（Ultra High Frequency）帯を使い、１つの周波数チャネルを１４等分した１３個のＯＦＤＭ(Orthogonal Frequency Division Multiplex)セグメントを使って、ディジタルテレビジョン放送を行っている。これらのＯＦＤＭセグメントのうち、１２セグメントは、ＨＤＴＶ(High Definition Television)放送に割り当てられ、１セグメントは、低解像度の放送に割り当てられている。この低解像度の放送は、ワンセグ放送と称され、モバイル用のテレビジョン放送として利用されている。
【０００３】
ワンセグ放送の受信機能は、携帯電話端末等に搭載されている。また、ワンセグ放送の受信機能を備えた携帯電話端末の多くは、予約録画の機能をサポートしている。これにより、いつでも、どこでも、自分の気に入ったテレビジョン放送を楽しむことができる。
【０００４】
しかしながら、携帯電話端末は、家庭用テレビジョン受信機と異なり、様々な場所で使用するため、電波状況により、予約した番組が正常に録画できないことがある。例えば、ディジタルテレビジョン放送のサービスエリア外に移動すると、テレビジョン放送を受信できない。
【０００５】
そこで、例えば特許文献１には、ワンセグ受信不可地域かどうかを予想し、予想位置がワンセグ受信不可地域と一致した場合には、外部の記録装置に予約録画情報を送信して予約録画を設定することで、予約録画の失敗を防止するようにしたものが提案されている。
【特許文献１】特開２００８−１８２３４４号公報
【発明の開示】
【発明が解決しようとする課題】
【０００６】
しかしながら、予約した番組の画像や音声が正常に録画できないのは、ディジタルテレビジョン放送のサービスエリア外だけではない。地上波ディジタルテレビジョン放送のサービスエリア内であっても、地下街、ビル陰、山陰等では、テレビジョン放送を受信できないことがある。
【０００７】
特許文献１に示されているものでは、ワンセグ受信不可地域かどうかを位置情報記録テーブルに保存し、携帯電話端末の現在位置と位置情報記録テーブルとを参照して、ワンセグ受信不可地域かどうかを判断している。このため、地下街、ビル陰、山陰等の全ての受信不可エリアに対応させるためには、これら全ての受信不可エリアを位置情報記録テーブルに登録しなければならない。
【０００８】
また、移動中ではテレビジョン放送の受信が安定せず、携帯電話端末での予約録画が失敗する場合がある。また、電池残量が十分でない場合、録画中に電池容量が不足し、予約録画が失敗する場合がある。特許文献１に示されているものでは、移動中や電池残量が不足の場合には対応できない。
【０００９】
上述の課題を鑑み、本発明は、携帯端末で設定した予約録画を確実に実行できるようにしたテレビジョン録画方法、テレビジョン録画プログラム、テレビジョン録画システム、携帯端末装置を提供することを目的とする。
【課題を解決するための手段】
【００１０】
上述の課題を解決するために、本発明に係るテレビジョン録画方法は、テレビジョン放送が受信可能とされた携帯端末で予約録画を行うテレビジョン録画方法であって、携帯端末により遠隔操作可能なテレビジョン受信機を設け、携帯端末に録画予約を設定しておくと、携帯端末は、予約録画時に、携帯端末で予約録画可能な状態であるかどうかを判断し、予約録画可能な状態であれば、携帯端末で予約した番組を携帯端末側の記録媒体に記録し、予約録画不可の状態であれば、テレビジョン受信機を遠隔操作して、携帯端末で予約した番組と同一の番組をテレビジョン受信機側の記録媒体に記録させることを特徴とする。
【００１１】
上記発明において、予約録画可能な状態であるかどうかの判断は、受信電界強度を検出して行うことを特徴とする。
【００１２】
上記発明において、予約録画可能な状態であるかどうかの判断は、携帯端末の揺れを検出して行うことを特徴とする。
【００１３】
上記発明において、予約録画可能な状態であるかどうかの判断は、携帯端末の電池残量を検出して行うことを特徴とする。
【００１４】
本発明に係るテレビジョン録画プログラムは、テレビジョン放送が受信可能とされた携帯端末で予約録画を行うために、携帯端末のコンピュータで実行されるテレビジョン録画プログラムであって、予約録画時に、携帯端末で予約録画可能な状態であるかどうかを判断するステップと、予約録画可能な状態であれば、携帯端末で予約した番組を携帯端末側の記録媒体に記録するステップと、予約録画不可の状態であれば、テレビジョン受信機を遠隔操作して、携帯端末で予約した番組と同一の番組をテレビジョン受信機側の記録媒体に記録させるステップとを含むことを特徴とする。
【００１５】
本発明に係るテレビジョン録画システムは、テレビジョン放送を受信する第１の受信手段と、所望の放送番組の録画予約を行う予約録画設定手段と、録画したテレビジョン放送の番組を記録する第１の記録媒体と、予約録画時に予約録画可能な状態であるかどうかを判断するための録画状態の検出手段と、外部の機器を遠隔操作する遠隔操作手段とを含む携帯端末と、テレビジョン放送を受信する第２の受信手段と、録画時に受信したテレビジョン放送の番組を記録する第２の記録媒体と、外部からの操作により遠隔操作を受ける被遠隔操作手段とを含むテレビジョン受信機とからなり、携帯端末の予約録画設定手段は、予約録画時に、録画状態の検出手段により予約録画可能な状態であるかどうかを判断し、予約録画可能な状態であれば、携帯端末で予約した番組を携帯端末側の第１の記録媒体に記録し、予約録画不可の状態であれば、テレビジョン受信機を遠隔操作して、携帯端末で予約した番組と同一の番組をテレビジョン受信機側の第２の記録媒体に記録させることを特徴とする。
【００１６】
上記発明において、録画状態の検出手段は、受信電波の電界強度を検出する受信電界強度検出手段からなり、予約録画設定手段は、受信電界強度検出手段の検出出力により、予約録画可能な状態であるかどうかを判断することを特徴とする。
【００１７】
上記発明において、録画状態の検出手段は、携帯端末の揺れを検出する加速度検出手段からなり、予約録画設定手段は、加速度検出手段の検出出力により、予約録画可能な状態であるかどうかを判断することを特徴とする。
【００１８】
上記発明において、録画状態の検出手段は、携帯端末に搭載された電池の残量を検出する残量検出手段からなり、予約録画設定手段は、電池残量検出手段の検出出力により、予約録画可能な状態であるかどうかを判断することを特徴とする。
【００１９】
本発明に係る携帯端末装置は、テレビジョン放送が受信可能とされた携帯端末であって、テレビジョン放送を受信する受信手段と、所望の放送番組の録画予約を行う予約録画設定手段と、録画したテレビジョン放送の番組を記録する記録媒体と、予約録画時に予約録画可能な状態であるかどうかを判断するための録画状態の検出手段と、外部のテレビジョン受信機を遠隔操作する遠隔操作手段とを含み、予約録画設定手段は、録画予約時に、録画状態の検出手段により予約録画可能な状態であるかどうかを判断し、予約録画可能な状態であれば、予約した番組を記録媒体に記録し、予約録画不可の状態であれば、遠隔操作手段により、携帯端末で予約した番組と同一の番組を外部のテレビジョン受信機の記録媒体に記録させることを特徴とする。
【発明の効果】
【００２０】
本発明によれば、携帯端末で録画予約が設定がされている場合には、予約録画時に、携帯端末で録画可能かどうかを判断し、録画予約可能な場合には、携帯端末自身で録画を実行し、その番組を携帯端末の記録媒体に記録し、録画予約不可の状態の場合には、携帯端末の遠隔操作機能により、外部のテレビジョン受信機で録画を実行させ、外部のテレビジョン受信機の記録媒体に、携帯端末で予約録画した番組と同様の放送番組を記録させるようにしている。予約録画不可かどうかは、受信電界強度や、携帯端末の動き、電池残量等から判断できる。これにより、ディジタルテレビジョン放送のサービスエリア外や、地下街、ビル陰、山陰等で、テレビジョン放送を受信できない場合、移動中で予約録画ができない場合、電池の残量が不十分で予約録画ができない場合でも、これと同一の放送番組を家庭内のテレビジョン受信機で録画することができ、予約録画を確実に実行できる。
【発明を実施するための最良の形態】
【００２１】
以下、本発明の実施の形態について図面を参照しながら説明する。図１は、本発明の第１の実施形態のテレビジョン録画システムの概要を示すものである。
【００２２】
図１において、テレビジョン放送局１は、ＵＨＦ帯を使い、１２セグメントでＨＤＴＶの地上波ディジタルテレビジョン放送を行い、１セグメントでワンセグ放送を行っている。
【００２３】
携帯電話端末２は、基地局５を介して、電話回線網６に接続可能とされていると共に、インターネット網７に接続可能とされている。また、携帯電話端末２は、テレビジョン放送局１からのワンセグ放送の受信及び予約録画が可能とされている。さらに、携帯電話端末２は、インターネット網７を介して、そのユーザの家庭内のテレビジョン受信機３の遠隔操作が可能とされている。
【００２４】
テレビジョン受信機３は、そのユーザの家庭に固定設置されたテレビジョン受信機で、地上波ディジタルテレビジョン放送の受信及び録画が可能とされている。また、テレビジョン受信機３は、そのユーザの携帯電話端末２により遠隔操作できるように、インターネット網７に接続されている。テレビジョン受信機３は、固定設置されているため、いつでも安定して、テレビジョン放送局１からのディジタルテレビジョン放送を受信できる。
【００２５】
テレビジョン放送局１からのワンセグ放送は、携帯電話端末２で受信される。また、携帯電話端末２で予約録画を設定しておくと、予約時刻になると、予約設定されたチャネルのワンセグ放送が携帯電話端末２で受信され、この予約番組が携帯電話端末２内の記録媒体に記録される。これにより、携帯電話端末２のユーザは、いつでも、どこでも、自分の気に入ったテレビジョン放送を楽しむことができる。
【００２６】
図２は、本発明の第１の実施形態における携帯電話端末２の一例である。この携帯電話端末２は、折り畳み型の構成とされており、図２（Ａ）は、携帯電話端末２を開いたときの内側の部分の外観構成を示し、図２（Ｂ）は、携帯電話端末２を開いたときの外側の部分の外観構成を示している。
【００２７】
図２（Ａ）に示すように、携帯電話端末２の内側となる部分の下端には、マイクロホン１１が配置される。携帯電話端末２の内側となる部分の上端には、スピーカ１２が配置される。マイクロホン１１及びスピーカ１２は、電話使用時に送受話を行うものである。
【００２８】
また、携帯電話端末２の内側となる部分の上方には、表示部１３が配置される。表示部１３は例えば液晶ディスプレイである。表示部１３には、各種の画像や文字が表示される。すなわち、電話利用時には、表示部１３に、着信や送信の電話番号や住所録が表示される。また、インターネットの利用時には、表示部１３に、インターネットのビューアの表示画面や、送受信メールが表示される。また、カメラ撮影時には、表示部１３がビューファインダとして用いられる他、撮影したカメラ画像が表示部１３に表示される。また、ワンセグ放送の受信時や予約録画の再生時には、表示部１３に、テレビジョン放送の再生画面が表示される。
【００２９】
携帯電話端末２の内側となる部分の下方には、テンキー（＊キーや＃キーを含む）１４、カーソルキー１５、決定キー１６が配置される。テンキー１４は、電話番号の入力、メールや電話帳作成時の文字入力等に用いられる。カーソルキー１５は、表示部１３に表示されるカーソルを移動させて、各種の選択入力等を行うのに用いられる。決定キー１６は、選択実行を行うのに用いられる。
【００３０】
携帯電話端末２の外側には、図２（Ｂ）に示すように、カメラ部１８、が配置される。カメラ部１８は、風景を撮影したりするのに利用される。
【００３１】
図３は、本発明の第１の実施形態の携帯電話端末２の主要部の内部構成を示すものである。
【００３２】
図３において、制御部２１はＣＰＵ(Central Processing Unit)からなり、携帯電話端末２の全体の動作の制御を行っている。制御部２１で実現される機能としては、ワンセグ放送の予約録画機能２２、インターネット網７を介した外部機器（テレビジョン受信機３）の遠隔操作機能２３が含まれている。
【００３３】
記録媒体２４は、フラッシュメモリ等からなる大容量の記録媒体である。この記録媒体２４には、ワンセグ放送で録画した動画像の情報が記憶される。
【００３４】
操作部２５は、ユーザからの入力操作が行われる。操作部２５には、テンキー１４や、カーソルキー１５、決定キー１６（図１参照）等が含まれる。
【００３５】
無線部２６は、基地局との間で、電波の送受信を行うものである。アンテナ２０は、基地局との間で電波の送受信を行うためのアンテナである。通信方式としては、ＰＤＣ(Personal Digital Cellular)、ＧＳＭ(Global System for Mobile Communication)、ＣＤＭＡ(Code Division Multiple Access)、ＷＣＤＭＡ(Wideband CDMA)等がある。本発明では、どのような通信方式を用いても良い。通信制御部２９は、基地局５との間で通信する信号の制御を行っている。
【００３６】
マイクロホン１１及びスピーカ１２は、電話利用時に、送受話を行う場合等に用いられる。音声処理部３０は、入力音声信号や出力音声信号の処理を行っている。
【００３７】
カメラ部１８は、カメラ撮影を行うものである。カメラ部１８には、レンズ等の光学系３１と、ＣＣＤ(Charge Coupled Device)等のイメージセンサからなる撮像部３２と、イメージセンサの撮像信号を処理する映像信号処理部３３とが含まれる。
【００３８】
表示部１３は、液晶ディスプレイからなり、表示部１３は、前述したように、各種の文字や画像の表示に用いられる。表示処理部３４は、表示部１３に表示する画像の処理を行っている。
【００３９】
テレビジョンチューナ部３５は、ワンセグ放送の受信処理を行っている。すなわち、テレビジョンチューナ部３５は、アンテナ３９で受信したワンセグ放送の電波を入力し、ＩＱ直交復調、ＯＦＤＭ復調、エラー訂正処理等を行ってＴＳ(Transport Stream)パケットを復調する回路や、復調されたＴＳパケットからビデオデータやオーディオデータをデコードする回路等を備えている。
【００４０】
また、テレビジョンチューナ部３５に対して、受信電界強度検出部３６が設けられている。受信電界強度検出部３６は、ワンセグ放送の受信電界強度を検出することで、ワンセグ放送が予約録画可能な状態かどうかを判断するための録画状態の検出手段として動作する。すなわち、受信電界強度検出部３６からの受信電界強度が所定値以上の場合には、ワンセグ放送の予約録画可能な状態である。受信電界強度検出部３６からの受信電界強度が所定値未満の場合には、予約録画不可の状態である。
【００４１】
電池３７は、携帯電話端末２の各部に電源を供給するものである。電池３７としては、ニッケル・カドミウム電池、ニッケル水素電池、リチウム・イオン電池等の二次電池が用いられる。電池制御部３８は、電池３７からの電源の制御を行っている。
【００４２】
図４は、家庭内のテレビジョン受信機３の一例である。図４において、アンテナ５１の受信信号は、テレビジョンチューナ部５２に供給される。テレビジョンチューナ部５２で、所望の周波数チャネルの信号が選択され、受信信号が中間周波信号に変換される。
【００４３】
テレビジョンチューナ部５２の出力信号は、復調部５３に供給される。復調部５３で、ＩＱ直交復調、ＯＦＤＭ復調、エラー訂正処理等が行われ、受信信号からＴＳパケットが取り出される。このＴＳパケットは、デマルチプレクサ５４に送られる。
【００４４】
デマルチプレクサ５４で、ＴＳパケットから、ビデオパケットと、オーディオパケットとが分離される。分離されたビデオパケットは、ビデオデコーダ５５に送られ、分離されたオーディオパケットは、オーディオデコーダ５６に送られる。
【００４５】
ビデオデコーダ５５で、ＭＰＥＧ２のデコード処理が行われる。また、オーディオデコーダ５６で、ＭＰＥＧ２ＡＡＣのデコード処理が行われる。
【００４６】
ビデオデコーダ５５でデコードされたビデオ信号は、表示制御部５７を介して、表示部５８に送られる。表示部５８には、受信したテレビジョン放送の動画像が表示される。オーディオデコーダ５６でデコードされたオーディオ信号は、アンプ５９を介してスピーカ６０に送られ、スピーカ６０から受信したテレビジョン放送の音声が出力される。
【００４７】
制御部６１はＣＰＵからなり、テレビジョン受信機３全体の制御を行っている。制御部６１には、入力部６２から、操作入力が与えられる。また、制御部６１は、インターフェース６３を介して、インターネット網７に接続可能とされている。
【００４８】
制御部６１で実現される機能としては、録画制御機能６５と、被遠隔操作機能６６が含まれる。録画制御機能６５を使うと、ＨＤＤ(Hard Disk Drive)等からなる記録媒体６４に、受信された放送番組の動画情報を記憶することができる。被遠隔操作機能６６を使うと、インターネット網７を介して、携帯電話端末２により、テレビジョン受信機３を遠隔操作できる。
【００４９】
図５は、本発明の第１実施形態のテレビジョン録画システムを実現するための携帯電話端末２の制御部２１での処理を示すフローチャートである。
【００５０】
図５において、携帯電話端末２の制御部２１は、録画予約設定の有無を確認する（ステップＳ１）。録画予約設定がされていない場合、本制御をそのまま終了する。
【００５１】
録画予約設定されている場合には、制御部２１は、予約録画時間になったかどうかを判断し（ステップＳ２）、予約録画時間になったら、受信電界強度検出部３６によりワンセグ放送の受信電界強度の確認を行い（ステップＳ３）、受信電界強度検出部３６により検出された受信電界強度により、予約録画可能な状態かどうかを判断する（ステップＳ４）。
【００５２】
ここで、受信電界強度検出部３６の検出結果から、受信電界強度が所定値より大きく、録画可能と判断された場合には、制御部２１は、携帯電話端末２自身で録画を実行し、ワンセグ放送番組を記録媒体２４に予約録画した放送番組を記録し（ステップＳ５）、本制御を終了する。
【００５３】
また、受信電界強度検出部３６の検出結果から、受信電界強度が所定値より小さく、予約録画不可と判断された場合には、制御部２１は、インターネット網７を介して、家庭内のテレビジョン受信機３に、予約録画した番組と同様の放送番組を録画するための録画コマンドを送り、家庭内のテレビジョン受信機３により、同一の放送番組の録画を実行させる（ステップＳ６）。
【００５４】
図６は、本発明の第１実施形態のテレビジョン録画システムを実行するための家庭内のテレビジョン受信機３の制御部６１の処理を示すフローチャートである。
【００５５】
図６において、テレビジョン受信機３の制御部６１は、インターネット網７を介して送られてくるコマンドを受信しており、インターネット網７を介して、携帯電話端末２から録画コマンドが送られてきたかどうかを判断している（ステップＳ１１）。制御部６１は、録画コマンドを受信したら、この録画コマンドに基づいて、携帯電話端末２で予約録画した番組と同様の放送番組を録画する処理を実行し（ステップＳ１２）、携帯電話端末２で予約録画した番組と同様の放送番組をディジタルテレビジョン放送番組の記録媒体６４に記録して、本制御を終了する。
【００５６】
以上説明したように、本発明の第１の実施形態では、携帯電話端末２で録画予約が設定がされている場合には、予約録画時に、携帯電話端末２の受信電界強度検出部３６により受信電界強度を検出してワンセグ放送の受信状態を確認し、受信状態が良好な場合、携帯電話端末２自身で録画を実行し、その番組を携帯電話端末２の記録媒体２４に記録し、受信状態が不良な場合には、携帯電話端末２の遠隔操作機能により、家庭内のテレビジョン受信機３で録画を実行させ、家庭内のテレビジョン受信機３の記録媒体６４に、携帯電話端末２で予約録画した番組と同様の放送番組を記録させるようにしている。家庭内のテレビジョン受信機３は、固定して設置されており、いつでも安定して録画を行える。したがって、携帯電話端末２で設定した予約録画が携帯電話端末２で実行できにない場合でも、これと同一の放送番組を家庭内のテレビジョン受信機３で録画することができ、予約録画を確実に実行できる。
【００５７】
＜第２の実施形態＞
図７は、本発明の第２の実施形態の携帯電話端末１０２の主要部の内部構成を示すものである。なお、本発明の第２の実施形態は、その基本システムの構成は、図１に示した第１の実施形態と同様であり、また、各家庭のテレビジョン受信機３は、図４に示した第１の実施形態と同様であり、その説明は省略する。
【００５８】
図７において、第２の実施形態の携帯電話端末１０２におけるマイクロホン１１１、スピーカ１１２、表示部１１３、カメラ部１１８、アンテナ１２０、制御部１２１、遠隔操作機能１２３、記録媒体１２４、操作部１２５、無線部１２６、通信制御部１２９、音声処理部１３０、光学系１３１、撮像部１３２、映像信号処理部１３３、表示処理部１３４、テレビジョンチューナ部１３５、電池１３７、電池制御部１３８、アンテナ１３９は、第１の実施形態における携帯電話端末２におけるマイクロホン１１、スピーカ１２、表示部１３、カメラ部１８、アンテナ２０、制御部２１、遠隔操作機能２３、記録媒体２４、操作部２５、無線部２６、通信制御部２９、光学系３１、音声処理部３０、撮像部３２、映像信号処理部３３、表示処理部３４、テレビジョンチューナ部３５、電池３７、電池制御部３８、アンテナ３９と同様である。
【００５９】
この実施形態では、携帯電話端末１０２に、さらに、加速度センサ１４１が設けられている。加速度センサ１４１は、携帯電話端末１０２の揺れを検出することで、ワンセグ放送が予約録画可能な状態かどうかを判断するための録画状態の検出手段として動作する。すなわち、加速度センサ１４１からの検出出力が所定値以上の場合には、移動中で、ワンセグ放送の予約録画不可の状態である。加速度センサ１４１からの検出出力が所定値未満の場合には、移動中ではなく、予約録画可能な状態である。本発明の第２の実施形態においては、予約録画機能１２２で、加速度センサ１４１の検出出力から、携帯電話端末１０２が移動中で予約録画不可の状態かどうかを判断し、予約録画可能な場合、携帯電話端末１０２自身で録画を実行し、予約録画不可の場合には、携帯電話端末１０２の遠隔操作機能１２３により、家庭内のテレビジョン受信機３で予約録画を実行するようにしている。
【００６０】
図８は、本発明の第２実施形態のシステムを実行するための携帯電話端末１０２側の処理を示すフローチャートである。
【００６１】
図８において、携帯電話端末１０２の制御部１２１は、録画予約の設定の有無を確認する（ステップＳ１０１）。録画予約が設定されていない場合、本制御をそのまま終了する。
【００６２】
録画予約が設定されている場合には、制御部１２１は、予約録画時間になったかどうかを判断し（ステップＳ１０２）、予約録画時間になったら、加速度センサ１４１の検出出力を確認して（ステップＳ１０３）、移動中で予約録画不可の状態かどうかを判断する（ステップＳ１０４）。
【００６３】
制御部１２１は、加速度センサ１４１の検出出力が所定値より大きい場合には、移動中で予約録画不可の状態であると判断し、加速度センサ１４１の検出出力が所定値未満の場合には、移動中ではなく、予約録画可能であると判断する。
【００６４】
加速度センサ１４１の検出結果から、録画可能と判断された場合には、制御部１２１は、携帯電話端末１０２自身で録画を実行し、ワンセグ放送番組を記録媒体１２４に予約録画した放送番組を記録し（ステップＳ１０５）、本制御を終了する。
【００６５】
また、加速度センサ１４１の検出結果から、予約録画不可と判断された場合には、制御部１２１は、インターネット網１０７を介して、家庭内のテレビジョン受信機３に、予約録画した番組と同様の放送番組を録画するための録画コマンドを送り、家庭内のテレビジョン受信機３により、同一の放送番組の録画を実行させる（ステップＳ１０６）。
【００６６】
以上説明したように、本発明の第２の実施形態では、携帯電話端末１０２で録画予約が設定がされている場合には、予約録画時に、携帯電話端末１０２の加速度センサ１４１により携帯電話端末１０２の揺れを検出して移動中かどうかを確認し、移動中でなければ、携帯電話端末２自身で録画を実行し、その番組を携帯電話端末１０２の記録媒体１２４に記録し、移動中なら、携帯電話端末１０２の遠隔操作機能１２３により、家庭内のテレビジョン受信機３で録画を実行させ、家庭内のテレビジョン受信機３の記録媒体６４に、携帯電話端末１０２で予約録画した番組と同様の放送番組を記録させるようにしている。したがって、携帯電話端末１０２で設定した予約録画が携帯電話端末１０２で実行できにない場合でも、これと同一の放送番組を家庭内のテレビジョン受信機３で録画することができ、予約録画を確実に実行できる。
【００６７】
＜第３の実施形態＞
図９は、本発明の第３の実施形態の携帯電話端末２０２の主要部の内部構成を示すものである。なお、本発明の第３の実施形態は、その基本システムの構成は、図１に示した第１の実施形態と同様であり、また、各家庭のテレビジョン受信機３は、図４に示した第１の実施形態と同様であり、その説明は省略する。
【００６８】
図９において、第３の実施形態の携帯電話端末２０２におけるマイクロホン２１１、スピーカ２１２、表示部２１３、カメラ部２１８、アンテナ２２０、制御部２２１、遠隔操作機能２２３、記録媒体２２４、操作部２２５、無線部２２６、通信制御部２２９、音声処理部２３０、光学系２３１、撮像部２３２、映像信号処理部２３３、表示処理部２３４、テレビジョンチューナ部２３５、電池２３７、電池制御部２３８、アンテナ２３９は、第１の実施形態における携帯電話端末２におけるマイクロホン１１、スピーカ１２、表示部１３、カメラ部１８、アンテナ２０、制御部２１、遠隔操作機能２３、記録媒体２４、操作部２５、無線部２６、通信制御部２９、音声処理部３０、光学系３１、撮像部３２、映像信号処理部３３、表示処理部３４、テレビジョンチューナ部３５、電池３７、電池制御部３８、アンテナ３９と同様である。
【００６９】
この実施形態では、携帯電話端末２０２に、充電検出部２４５と、残量検出部２４６が設けられている。残量検出部２４６は、電池２３７の残量を検出することで、ワンセグ放送が予約録画可能な状態かどうかを判断するための録画状態の検出手段として動作する。すなわち、残量検出部２４６で検出される電池２３７の残量が所定値以上なら、録画中に電池２３７の残量が不足することはないので、予約録画可能な状態である。残量検出部２４６で検出される電池２３７の残量が所定値未満なら、録画中に電池２３７の残量が不足することがあるので、予約録画不可の状態である。この第３の実施形態においては、予約録画機能２２２で、携帯電話端末２０２に装着された電池２３７の残量が十分かどうかを判断し、電池残量が十分な場合には、携帯電話端末２０２自身で録画を実行し、電池残量が少ない場合には、携帯電話端末２０２の遠隔操作機能２２３により、家庭内のテレビジョン受信機３で予約録画を実行するようにしている。
【００７０】
図１０は、本発明の第３実施形態のテレビジョン録画システムを実行するための携帯電話端末１０２側の制御部２２１の処理を示すフローチャートである。
【００７１】
図１０において、携帯電話端末２０２の制御部２２１は、テレビ予約録画設定の有無を確認する（ステップＳ２０１）。予約設定がされていない場合、本制御をそのまま終了する。
【００７２】
テレビ予約録画設定されている場合には、制御部２２１は、予約録画時間になったかどうかを判断し（ステップＳ２０２）、予約録画時間になったら、充電検出部２４５により充電中かどうかの確認を行う（ステップＳ２０３）。充電中なら、ステップＳ２０６に行き、携帯電話端末２０２自身で録画を実行し、ワンセグ放送番組を記録媒体２２４に記録する。ステップＳ２０３で、充電中でなければ、残量検出部２４６により電池残量の確認を行う（ステップＳ２０４）。
【００７３】
ここで、電池残量が十分で予約可能かどうかが判断され（ステップＳ２０５）、電池残量が十分で予約可能と判断されたら、制御部１２１は、携帯電話端末２０２自身で録画を実行し、ワンセグ放送番組を記録媒体２２４に記録し（ステップＳ２０６）、本制御を終了する。
【００７４】
また、ステップＳ２０５で、電池残量が少なく、予約録画不可と判断された場合には、制御部２２１は、インターネット網７を介して、家庭内のテレビジョン受信機３に、予約録画した番組と同様の放送番組を録画するための録画コマンドを送り、家庭内のテレビジョン受信機３により、同一の放送番組の録画を実行させる（ステップＳ２０７）。
【００７５】
以上説明したように、本発明の第３の実施形態では、携帯電話端末２０２で録画予約が設定がされている場合には、予約録画時に、残量検出部２４６により電池残量を確認し、電池残量が十分でなら、携帯電話端末２０２自身で録画を実行し、その番組を携帯電話端末２０２の記録媒体２２４に記録し、電池残量が不足していれば、携帯電話端末２０２の遠隔操作機能により、家庭内のテレビジョン受信機３で録画を実行させ、家庭内のテレビジョン受信機３の記録媒体６４に、携帯電話端末２０２で予約録画した番組と同様の放送番組を記録させるようにしている。したがって、携帯電話端末２０２で設定した予約録画が携帯電話端末２０２で実行できにない場合でも、これと同一の放送番組を家庭内のテレビジョン受信機３で録画することができ、予約録画を確実に実行できる。
【００７６】
本発明は、上述した実施形態に限定されるものではなく、この発明の要旨を逸脱しない範囲内で様々な変形や応用が可能である。
【００７７】
例えば、上述の実施形態では、携帯電話端末２、１０２、２０２とテレビジョン受信機３とをインターネット網７を介して直接接続して、携帯電話端末２、１０２、２０２でテレビジョン受信機３を遠隔操作しているが、インターネット網７上にテレビジョン受像機の遠隔操作を行う録画サーバを設け、この録画サーバを介して、テレビジョン受信機３を携帯電話端末２、１０２、２０２で遠隔操作するようにしても良い。
【００７８】
また、上述の例では、携帯電話端末２、１０２、２０２とテレビジョン受信機３とが同一のテレビジョン放送局１からの地上波ディジタルテレビジョン放送を受信しているが、携帯電話端末２、１０２、２０２とテレビジョン受信機３とが異なる放送エリアにあっても良い。放送エリア毎に、チャネル構成や放送番組のプログラムが異なっている場合には、携帯電話端末２、１０２、２０２で予約録画不可となり、テレビジョン受信機３で録画を実行させる際に、携帯電話端末２，１０２、２０２で設定した予約録画と同一の放送番組を検索して、検索された時間とチャネルで家庭内のテレビジョン受信機３の録画設定を行えば良い。
【図面の簡単な説明】
【００７９】
【図１】本発明の第１の実施形態のテレビジョン録画システムの構成を示すブロック図である。
【図２】本発明の第１の実施形態のテレビジョン録画システムにおける携帯電話端末の外観構成を示す正面図及び背面図である。
【図３】本発明の第１の実施形態のテレビジョン録画システムにおける携帯電話の内部構成を示すブロック図である。
【図４】本発明の第１の実施形態のテレビジョン録画システムにおけるテレビジョン受信機の内部構成を示すブロック図である。
【図５】本発明の第１の実施形態のテレビジョン録画システムにおける携帯電話端末の動作説明に用いるフローチャートである。
【図６】本発明の第１の実施形態のテレビジョン録画システムにおけるテレビジョン受信機の動作説明に用いるフローチャートである。
【図７】本発明の第２の実施形態のテレビジョン録画システムにおける携帯電話端末の動作説明に用いるフローチャートである。
【図８】本発明の第２の実施形態のテレビジョン録画システムにおけるテレビジョン受信機の動作説明に用いるフローチャートである。
【図９】本発明の第３の実施形態のテレビジョン録画システムにおける携帯電話端末の動作説明に用いるフローチャートである。
【図１０】本発明の第３の実施形態のテレビジョン録画システムにおけるテレビジョン受信機の動作説明に用いるフローチャートである。
【符号の説明】
【００８０】
１：テレビジョン放送局
２：携帯電話端末
３：テレビジョン受信機
５：基地局
６：電話回線網
７：インターネット網
１１、１１１、２１１：マイクロホン
１２、１１２、２１２：スピーカ
１３、１１３、２１３：表示部
１４：テンキー
１５：カーソルキー
１６：決定キー
１８、１１８、２１８：カメラ部
２０、１２０、２２０：アンテナ
２１、１２１、２２１：制御部
２２、１２２、２２２：予約録画機能
２３、１２３、２２３：遠隔操作機能
２４、１２４、２２４：記録媒体
２５、１２５、２２５：操作部
２６、１２６，２２６：無線部
２９、１２９，２２９：通信制御部
３０、１３０、２３０：音声処理部
３１、１３１．２３１：光学系
３２、１３２，２３２：撮像部
３３、１３３、２３３：映像信号処理部
３４、１３４，２３４：表示処理部
３５、１３５，２３５：テレビジョンチューナ部
３６：受信電界強度検出部
３７、１３７，２３７：電池
３８、１３８，２３８：電池制御部
３９、１３９，２３９：アンテナ
５１：アンテナ
５２：テレビジョンチューナ部
５３：復調部
５４：デマルチプレクサ
５５：ビデオデコーダ
５６：オーディオデコーダ
５７：表示制御部
５８：表示部
５９：アンプ
６０：スピーカ
６１：制御部
６２：入力部
６３：インターフェース
６４：記録媒体
６５：録画制御機能
６６：被遠隔操作機能
１４１：加速度センサ
２４５：充電検出部
２４６：残量検出部
【図１】
2010098670.tif 000003
【図２】
2010098670.tif 000004
【図３】
2010098670.tif 000005
【図４】
2010098670.tif 000006
【図５】
2010098670.tif 000007
【図６】
2010098670.tif 000008
【図７】
2010098670.tif 000009
【図８】
2010098670.tif 000010
【図９】
2010098670.tif 000011
【図１０】
2010098670.tif 000012